(57)【要約】【課題】複数の可動部材において少なくとも何れか一方の可動部材が他の可動部材との干渉を避けるように動作することで、それら可動部材が同時に駆動（移動）した場合でも互いに干渉することを抑制して、その演出効果を向上させることが可能な遊技機を提供すること。【解決手段】遊技機１が備える可動演出装置５０において、第１の可動装置６０が備える可動ベース部６４が終端位置Ｐ２に配置されている場合には、可動体６１のストッパ６１ｃが追動体６２の当接部６２ａと当接することにより可動ベース部６４が終端位置Ｐ２に配置された状態で、可動体６１が第１姿勢Ｓ１から第２姿勢Ｓ２へと変位されて、可動体６１に接近するように移動された第２の可動装置７０が備える移動体７１とその可動体６１との干渉を避けるように構成されている。【選択図】図１５
2012095902.tif 000002
【特許請求の範囲】
【請求項１】
遊技状態に応じて始端位置と終端位置との間で往復移動可能な可動ベース部と、前記可動ベース部を移動させるための第１の駆動機構とを備えた第１の可動装置と、前記可動ベース部に接近する方向に移動可能な移動体と、前記移動体を移動させるための第２の駆動機構とを備えた第２の可動装置を備えた遊技機において、
前記第１の可動装置は、前記可動ベース部に第１姿勢と第２姿勢との間で変位可能に取り付けられ、該可動ベース部と共に移動される可動体と、前記可動体に当接して該可動体を前記第１姿勢から前記第２姿勢へと変位させることが可能な当接部を有し、
前記可動ベース部が前記始端位置と前記終端位置の直前位置との間に配置されている場合には、前記可動体が前記第１姿勢に保持され、
前記可動ベース部が前記終端位置に配置される際には、前記可動体が前記当接部と当接することにより前記可動体が前記第１姿勢から前記第２姿勢へと変位されて、前記可動体に接近するように移動された前記移動体と該可動体との干渉を避けるように構成されていることを特徴とする遊技機。
【請求項２】
前記可動体が前記終端位置に配置されている状態で前記第２姿勢となることで、前記可動体の少なくとも一部が、前記移動体の少なくとも一部に対して前記遊技機の前後方向において重なるように配置されていることを特徴とする請求項１に記載の遊技機。
【請求項３】
前記可動体が前記第１姿勢である場合に、前記可動体と前記移動体はそれぞれの移動範囲内においてそれぞれの少なくとも一部どうしが互いに当接するように配置されていることを特徴とする請求項１または２に記載の遊技機。
【請求項４】
前記可動ベース部と前記可動体は、該可動体を前記第２姿勢から前記第１姿勢に変位させるように付勢する付勢部材によって連結されていることを特徴とする請求項１から３のいずれか一項に記載の遊技機。
【請求項５】
前記可動体と前記当接部は少なくとも一部が互いに重なり合うように配置されると共に、前記可動体には、前記当接部と当接するストッパが設けられ、
前記ストッパは、前記可動体から前記当接部側に向けて突出形成されていることを特徴とする請求項１から４のいずれか一項に記載の遊技機。
【請求項６】
前記第１の可動装置は、前記可動体と異なる位置の追動始端位置と追動終端位置との間で前記可動体に追動可能な追動体を備えると共に、前記当接部は該追動体に設けられ、
前記追動体が前記追動終端位置に配置される際に前記ストッパと前記当接部を介して前記可動体と前記追動体が当接されることを特徴とする請求項５に記載の遊技機。
【請求項７】
前面に遊技領域を有する遊技盤を備え、前記第１の可動装置における前記可動体の移動方向が前記遊技盤の上側領域における上下方向であると共に、前記第２の可動装置における前記移動体の移動方向が前記遊技盤の下側領域における上下方向であることを特徴とする請求項１から６のいずれか一項に記載の遊技機。
【請求項８】
前記可動ベース部が前記始端位置に配置されている場合には、前記第１の駆動機構により前記可動ベース部を移動させた後に、前記第２の駆動機構により前記移動体を移動させる一方、前記可動ベース部が前記終端位置に配置されている場合には、前記第２の駆動機構により前記移動体を移動させた後に、前記第１の駆動機構によって前記可動ベース部を移動させるようにしたことを特徴とする請求項１から７のいずれか一項に記載の遊技機。
【発明の詳細な説明】
【技術分野】
【０００１】
本発明は、パチンコ遊技機などの遊技機に関し、更に詳しくは、遊技の進行状況に応じて遊技を演出する可動演出装置が設けられた遊技機に関するものである。
【背景技術】
【０００２】
従来、パチンコ遊技機などの遊技機は、遊技を演出する目的で、センター役物の周囲に可動演出装置が設けられたものが知られている。この種の可動演出装置としては、モータなどを備える駆動機構によって可動部材を基準位置から落下させたり上昇させたりするなど移動させることにより遊技を演出する構成のものがある。
【０００３】
例えば、下記特許文献１の図１には、遊技盤５０の右上の領域で回動する可動部材９２と、この可動部材９２の下方の領域で左右に伸縮する可動部材９４を備えた可動演出装置が記載されている。この場合、この可動演出装置では、可動部材９２と可動部材９４を、同時駆動した場合に互いに干渉するような位置関係に配置されているため、そのような干渉する位置関係に配置された可動部材９２，９４が同時に駆動（移動）しないように制限するように構成されている。
【先行技術文献】
【特許文献】
【０００４】
【特許文献１】特開２００８−１１３９７１号公報
【発明の概要】
【発明が解決しようとする課題】
【０００５】
しかしながら、このように互いに干渉する位置関係に配置された複数の可動部材が同時に駆動（移動）しないように制限する場合には、複数の可動部材を備えていても、いずれか１つの可動部材しか駆動（移動）することができないため、その演出効果が単調なものになりがちであった。
【０００６】
そこで、本発明は、複数の可動部材において少なくとも何れか一方の可動部材が他の可動部材との干渉を避けるように動作することで、それら可動部材が同時に駆動（移動）した場合でも互いに干渉することを抑制して、その演出効果を向上させることが可能な遊技機を提供することを目的とする。
【課題を解決するための手段】
【０００７】
上記課題を解決するために本発明は、遊技状態に応じてし始端位置と終端位置との間で往復移動可能な可動ベース部と、前記可動ベース部を移動させるための第１の駆動機構とを備えた第１の可動装置と、前記可動ベース部に接近する方向に移動可能な移動体と、前記移動体を移動させるための第２の駆動機構とを備えた第２の可動装置を備えた遊技機において、前記第１の可動装置は、前記可動ベース部に第１姿勢と第２姿勢との間で変位可能に取り付けられ、該可動ベース部と共に移動される可動体と、前記可動体に当接して該可動体を前記第１姿勢から前記第２姿勢へと変位させることが可能な当接部を有し、前記可動ベース部が前記始端位置と前記終端位置の直前位置との間に配置されている場合には、前記可動体が前記第１姿勢に保持され、前記可動ベース部が前記終端位置に配置される際には、前記可動体が前記当接部と当接することにより前記可動体が前記第１姿勢から前記第２姿勢へと変位されて、前記可動体に接近するように移動された前記移動体と該可動体との干渉を避けるように構成されていることを要旨とするものである。
【０００８】
上記構成を有する遊技機によれば、可動体が第１姿勢から第２姿勢へと変位することによりその可動体に接近するように移動してきた移動体と可動体との干渉が避けるように構成されているので、可動体と移動体を同時に移動させた場合でも互いに干渉してしまうことが抑制されている。したがって、可動体と移動体を同時に移動させることができ、その演出効果を向上させることが可能である。
【０００９】
この場合、前記可動体が前記終端位置に配置されている状態で前記第２姿勢となることで、前記可動体の少なくとも一部が、前記移動体の少なくとも一部に対して前記遊技機の前後方向において重なるように配置されている構成にすると良い。このような構成によれば、可動体と移動体の互いの干渉を避けつつ、可動体の少なくとも一部が、移動体の少なくとも一部に対して遊技機の前後方向において重なるように配置させているので、遊技者側（遊技機の前面側）から見て一見、可動体と移動体が当接（互いに干渉）したかのような演出を行うことができ、また、可動体と移動体の移動領域を大きく設定することが可能となることで、更にその演出効果を向上させることができる。
【００１０】
また、前記可動体が前記第１姿勢である場合に、前記可動体と前記移動体はそれぞれの移動範囲内においてそれぞれの少なくとも一部どうしが互いに当接するように配置されている構成にすると良い。このような構成によれば、第１姿勢の状態の可動体に対して、これに接近してきた移動体は当接（干渉）するようにそれら可動体および移動体が配置されているので、第１姿勢の可動体に移動体が接近すると当接（互いに干渉）するように見える演出をしつつ、当接（互いに干渉）の直前で、可動体が移動体と当接（干渉）しない第２姿勢へと変位させるような演出を行うことができ、更にその演出効果を向上させることができる。
【００１１】
更に、前記可動ベース部と前記可動体は、該可動体を前記第２姿勢から前記第１姿勢に変位させるように付勢する付勢部材によって連結されている構成にすると良い。このような構成によれば、可動体が第１姿勢から第２姿勢へと不用意に変位してしまうことが防止されるので、可動体をその可動体への当接部による当接によってのみ第１姿勢から第２姿勢へと変位させることができる。
【００１２】
また、前記可動体と前記当接部は少なくとも一部が互いに重なり合うように配置されると共に、前記可動体には、前記当接部と当接するストッパが設けられ、前記ストッパは、前記可動体から前記当接部側に向けて突出形成されている構成にすると良い。このような構成によれば、可動体から当接部側に向けて突出形成されたストッパに当接部を当接させるという簡易な構造（機構）で、可動体を第１姿勢から第２姿勢へと簡便に変位させることができる。
【００１３】
この場合、前記第１の可動装置は、前記可動体と異なる位置の追動始端位置と追動終端位置との間で前記可動体に追動可能な追動体を備えると共に、前記当接部は該追動体に設けられ、前記追動体が前記追動終端位置に配置される際に前記ストッパと前記当接部を介して前記可動体と前記追動体が当接される構成にすると良い。このような構成によれば、更に可動体に追動可能な追動体を備えているので、その演出効果を高めることができると共に、この追動体に可動体を第１姿勢から第２姿勢へと当接によって変位させる当接部が設けられているので、簡易な構造（機構）で、可動体を第１姿勢から第２姿勢へと変位させることが可能である。
【００１４】
また、前面に遊技領域を有する遊技盤を備え、前記第１の可動装置における前記可動体の移動方向が前記遊技盤の上側領域における上下方向であると共に、前記第２の可動装置における前記移動体の移動方向が前記遊技盤の下側領域における上下方向である構成にすると良い。更に、前記可動ベース部が前記始端位置に配置されている場合には、前記第１の駆動機構により前記可動ベース部を移動させた後に、前記第２の駆動機構により前記移動体を移動させる一方、前記可動ベース部が前記終端位置に配置されている場合には、前記第２の駆動機構により前記移動体を移動させた後に、前記第１の駆動機構によって前記可動ベース部を移動させるようにした構成など種々なる移動態様を実現することができ、その演出効果を向上させることが可能である。
【発明の効果】
【００１５】
本発明に係る遊技機によれば、可動体がこれに接近する移動体との干渉を避けるように動作することで、それら可動体および移動体が同時に駆動（移動）した場合でも互いに干渉することを抑制して、その演出効果を向上させることが可能である。
【図面の簡単な説明】
【００１６】
【図１】本発明の一実施形態に係る遊技機の一例を示した正面図である。
【図２】図１の遊技機が備える遊技盤の正面図である。
【図３】センター役物が備えるセンターベースと可動演出装置の正面図である。
【図４】図３の可動演出装置が動作する前の状態を示した正面図である。
【図５】センターベースおよび可動演出装置を前面側から視た外観斜視図である。
【図６】（ａ）は第１の可動装置の可動体と駆動機構を背面側から視た外観斜視図、（ｂ）は駆動機構を前面側から視た外観斜視図である。
【図７】第１の可動装置の可動体と駆動機構を前面側から視た分解斜視図である。
【図８】第１の可動装置の可動体と駆動機構を背面側から視た分解斜視図である。
【図９】第１の可動装置の追動体を前面側から視た外観斜視図である。
【図１０】第１の可動装置の追動体を背面側から視た外観斜視図である。
【図１１】可動ベース部および可動体が第１位置（始端位置）、追動体が第５位置（追動始端位置）、移動体が第３位置（始端位置）にある状態を示した側面図である。
【図１２】可動ベース部および可動体が第１位置（始端位置）から下方に動きだした状態、追動体が第５位置（追動始端位置）から下方に動き出した状態、移動体が第３位置（始端位置）から上方に動き出した状態を示した側面図である。
【図１３】追動体が第６位置（追動終端位置）に到達した状態を示した側面図である。
【図１４】可動ベース部および可動体が第２位置（終端位置）手前の直前位置にある状態、移動体が第４位置（終端位置）手前の直前位置にある状態を示した側面図である。
【図１５】可動ベース部および可動体が第２位置（終端位置）に到達して可動体が第１姿勢から第２姿勢に変位した状態、移動体が第４位置（終端位置）に到達した状態を示した側面図である。
【図１６】図１４の可動体を前面側から視た外観斜視図である。
【図１７】図１５の可動体を前面側から視た外観斜視図である。
【発明を実施するための形態】
【００１７】
以下、本発明に係る遊技機の実施の形態について図面を参照して詳細に説明する。図１は本発明の実施形態に係る遊技機を示した正面図である。図示されるように、遊技機１はパチンコ遊技機である。
【００１８】
この遊技機１には、所要の奥行きを有する額縁形状に形成された機枠２を備えており、その機枠２の前面側には、左側縁が軸着されて前方に開閉可能に前面枠３が取り付けられ、その前面枠３に対して左側縁が軸着されて前面側に開閉可能に形成されたガラス枠４が取り付けられている。
【００１９】
尚、以下の説明においては、遊技機１の前面とは、遊技機１の正面側（遊技者が遊技を行う側）のことであり、遊技機１の裏面或いは後方とは遊技機１の背面側のことである。また遊技機１の左側、右側、上側、下側とは、遊技機１を正面側（遊技者側）から視た場合の左側、右側、上側、下側のことである。また、遊技機１を構成する各種部材においても、表側、裏側、前面側、後側等という場合、特に断りがない限り、遊技機１に装着された状態での表側、裏側、前面側、後側方向等である。
【００２０】
図１に示されるように、ガラス枠４には、遊技盤５の位置にガラス板またはプラスチック板等の透明板が嵌め込まれており、この透明板を通して前面側から遊技盤５の遊技領域６を視認可能である。また、ガラス枠４には、遊技領域６へ発射するための遊技球を入れる上皿ユニット７が一体的に形成されている。上皿ユニット７には、貯留されている遊技球を下皿ユニット８に流下させるための上皿操作部９等が設けられている。また、ガラス枠４の上部左右両側には、スピーカ１０，１０が設けられている。
【００２１】
図１に示されるように、前面枠３のガラス枠４の下方には、左側縁が軸着されて前面枠３に対して開閉可能な下皿ユニット８が組み付けられている。また、前面枠３の右下には、遊技球を発射操作するためのタッチスイッチを備える発射ハンドル１２が設けられている。下皿ユニット８は、払い出された遊技球のうち上皿ユニット７に入りきらない遊技球を貯めることが可能である。下皿ユニット８には、遊技球を下方に落下させるための下皿操作部１３等が設けられている。
【００２２】
図２は図１の遊技盤５を示す正面図である。遊技盤５は、ほぼ正方形の合板により成形されており、前面枠３に着脱可能に取り付けられている。この遊技盤５には、発射装置から発射された遊技球をガイドするための金属製の薄板からなる帯状の内側ガイドレール１４および外側ガイドレール１５が略円弧形状に立設されており、このガイドレール１４，１５によって遊技領域６の外郭の一部が形成されている。
【００２３】
図２に示されるように、遊技盤５の遊技領域６には、その中心線上において上から順に、遊技状況に応じた演出を行うことが可能な遊技演出装置としての表示装置１７、電動チューリップからなる始動入賞装置１８、長方形の開口部を開閉可能に覆っている蓋からなるアタッカー形式の特別入賞装置１９、アウト口２０が配置されている。また、遊技領域６には、流下する遊技球が衝突することにより遊技球の流下態様に変化を与える障害物としての図示しない遊技釘が複数立設されている。遊技領域６を流下する遊技球は、遊技釘に衝突したときの条件に応じて様々な態様に変化して流下される。
【００２４】
このような遊技機１においては、発射ハンドル１２の操作により発射装置から遊技領域６に遊技球を発射すると、遊技球が遊技領域６の表面を転動しながら落下し、その遊技球が始動入賞装置１８、特別入賞装置１９等の入賞装置に入ると、所定数の賞球遊技球が、払い出されるように構成されている。
【００２５】
尚、特に図示しないが、遊技機１の背面側には、枠用外部端子基板、表示制御基板、主制御基板、音声制御基板、ランプ制御基板、払出制御基板、発射制御基板、電源基板等の各種基板や、カードインターフェース接続部、球タンク、タンクレール、屈曲樋、球切れ検出スイッチ、球払出装置，球排出樋、発射装置等の遊技機構成部材が設けられている。
【００２６】
表示装置１７としては、液晶表示パネルが適用されており、その矩形状の表示画面（表示部１７ａ）において種々なる図柄等が表示されるようになっている。この表示部１７ａの前面の周囲には、遊技の装飾効果（遊技演出効果）を高めるためのセンター役物３０が配設されている。センター役物３０は、前面側装飾部材４０や可動演出装置５０などを備えている。前面側装飾部材４０は、遊技盤５の前面側に設けられており、その略中央には表示部１７ａを視認可能な開口部４０ａが形成され、表示部１７ａの周囲を装飾している。
【００２７】
可動演出装置５０は、表示部１７ａの上側に配置された第１の可動装置６０と、表示部１７ａの下側に配置された第２の可動装置７０を備えている。第１の可動装置６０は、後述する駆動機構（第１の駆動機構）によって上下に往復移動可能となっており、龍の顔の目から上顎にかけての部分を模した形状を有する可動体６１と、この可動体６１の前面側に配置され、龍の顔のおでこから頭頂にかけての部分を模した形状を有する追動体６２と、可動体６１の背面の左右両側に配置され、羽根を模した形状を有する左右一対の変位部材６３，６３を備えている。
【００２８】
また、第２の可動装置７０は、龍の顔の下顎から首元にかけての部分を模した形状を有した移動体７１を備えており、図３に示されるようなモータ７２やギヤ７３などを備える駆動機構（第２の駆動機構）によって上下に往復移動可能になっている。尚、このような移動体７１を移動させる駆動機構としては、ラック＆ピニオンやスライドレールなどを備えた種々なる昇降機構などが適用可能であり、その詳細についての説明は省略し、以下では主に第１の可動装置６０とその駆動機構（第１の駆動機構）について詳細に説明する。
【００２９】
図２および図４に示されるように、第１の可動装置６０が備える可動体６１、追動体６２および変位部材６３，６３は、前面側装飾部材４０の上側に設けられたカバー体４０ｂの背面側に隠れるように配置される始端位置（第１位置Ｐ１）と、図２および図３に示されるように、前面側装飾部材４０の開口部４０ａ内、つまり表示部１７ａの上辺からその前面側に現れる（露出される）ように配置される終端位置（第２位置Ｐ２）との間を往復移動されるようになっている。
【００３０】
また、図２および図４に示されるように、第２の可動装置７０が備える移動体７１は、前面側装飾部材４０の下側に設けられたカバー体４０ｃの背面側に隠れるように配置される始端位置（第３位置Ｐ３）と、図２および図３に示されるように、前面側装飾部材４０の開口部４０ａ内、つまり表示部１７ａの下辺からその前面側に現れる（露出される）ように配置される終端位置（第４位置Ｐ４）との間を往復移動されるようになっている。このように、第１の可動装置６０（可動体６１、追動体６２、変位部材６３）と第２の可動装置７０（移動体７１）を表示部１７ａ上で移動させることで、表示部１７ａによる表示演出と第１の可動装置６０および第２の可動装置７０による駆動演出を併せて行うことが可能になっている。
【００３１】
尚、可動体６１は、第１位置Ｐ１と第２位置Ｐ２の間を移動可能に構成されているが、追動体６２は、第１位置Ｐ１よりもやや上方の追動始端位置（第５位置Ｐ５）と、第１位置Ｐ１と第２位置Ｐ２との間の途中位置である追動終端位置（第６位置Ｐ６）との間を移動可能に構成されている。
【００３２】
例えば、入賞装置に遊技球が入賞して遊技状態が変化して、遊技機１に備えられる制御回路等から可動演出装置５０を駆動させる命令が発生すると、第１の可動装置６０が備える可動体６１および追動体６２は、図２に示されるようなカバー体４０ｂの背面側に隠れるように配置される第１位置Ｐ１および第５位置Ｐ５から、前面側装飾部材４０の開口部４０ａ内に徐々に現れ（露出され）ながら、可動体６１は第２位置Ｐ２に、追動体６２は第６位置Ｐ６にそれぞれ移動させられると共に、変位部材６３，６３も可動体６１の移動に伴って変位させられるようになっている。また、このとき、移動体７１は、図２に示されるようなカバー体４０ｃの背面側に隠れるように配置される第３位置Ｐ３から、前面側装飾部材４０の開口部４０ａ内に徐々に現れ（露出され）ながら第４位置Ｐ４に移動させられるようになっている。
【００３３】
図３および図４は、センター役物３０が備えるセンターベース４１と、このセンターベース４１に取り付けられた可動演出装置５０の正面図を示している。尚、図３および図４においては遊技盤５、前面側装飾部材４０の記載は省略されている。
【００３４】
図示されるように、センターベース４１は、可動演出装置５０などの部材を取り付けるための枠体状の部材である。尚、前面側装飾部材４０は遊技盤５の前面側に装着され、センターベース４１は遊技盤５の背面側に装着されるようになっており、遊技盤５は前面側装飾部材４０とセンターベース４１との間に挟み込まれるように配設されるように構成されている。
【００３５】
センターベース４１は、表示装置１７の表示部１７ａの周囲を囲むように形成されており、その中央部分には、表示部１７ａを視認可能にするための開口部４１ａが設けられている。この場合、開口部４１ａの背面側に表示装置１７は取り付けられるようになっている。また、センターベース４１の前面側は、前面側装飾部材４０にその背面側から光を照射するＬＥＤ（発光ダイオード）が複数実装されたＬＥＤ基板（図示せず）などの各種部材を取り付けたり収納したりするための額縁状の枠体として形成されている。
【００３６】
図４に示されるように待機状態では、可動演出装置５０が備える第１の可動装置６０（可動体６１、追動体６２および変位部材６３，６３）は、センターベース４１の矩形状の開口部４１ａの上辺（表示部１７ａの上辺）よりも上側に配設され、可動演出装置５０が備える第２の可動装置７０（移動体７１）は、センターベース４１の開口部４１ａの下辺（表示部１７ａの下辺）よりも下側に配設されている。
【００３７】
図５は、センターベース４１および追動体６２が省略された可動演出装置５０（第１の可動装置６０および第２の可動装置７０）を前面側から視た外観斜視図を示している。図６（ａ）は、可動体６１と駆動機構を背面側から視た外観斜視図、図６（ｂ）は駆動機構を前面側から視た外観斜視図を示している。また、図７は、可動体６１と駆動機構を前面側から視た分解斜視図、図８は、可動体６１と駆動機構を背面側から視た分解斜視図である。更に、図９は、追動体６２とフレーム部材６９を前面側から視た外観斜視図、図１０は、追動体６２とフレーム部材６９を背面側から視た外観斜視図である。
【００３８】
図１１〜図１５は、可動演出装置５０の動作の手順を順に示した側面図である。この場合、図１１は、可動ベース部６４および可動体６１が第１位置Ｐ１（始端位置）、追動体６２が第５位置Ｐ５（追動始端位置）、移動体７１が第３位置Ｐ３（始端位置）にある状態を示した側面図である。図１２は、可動ベース部６４および可動体６１が第１位置Ｐ１（始端位置）から下方に動きだした状態、追動体６２が第５位置Ｐ５（追動始端位置）から下方に動き出した状態、移動体７１が第３位置Ｐ３（始端位置）から上方に動き出した状態を示した側面図である。
【００３９】
図１３は、追動体６２が第６位置（追動終端位置）に到達した状態を示した側面図である。図１４は、可動ベース部６４および可動体６１が第２位置Ｐ２（終端位置）手前の直前位置である当接位置ＰＴにある状態、移動体７１が第４位置Ｐ４（終端位置）手前の直前位置にある状態を示した側面図である。図１５は、可動ベース部６４および可動体６１が第２位置Ｐ２（終端位置）に到達して可動体６１が第１姿勢Ｓ１から第２姿勢Ｓ２に変位した状態、移動体７１が第４位置Ｐ４（終端位置）に到達した状態を示した側面図である。また、図１６は、図１４の可動体６１が第２位置Ｐ２にある状態を前面側から視た外観斜視図、図１７は、図１５の可動体６１が第１姿勢Ｓ１から第２姿勢Ｓ２に変位した状態を前面側から視た外観斜視図である。
【００４０】
先ず、図５〜図８を用いて、第１の可動装置６０が備える可動体６１とこれを上下に往復移動させるための駆動機構について説明する。
【００４１】
図７および図８に示されるように、龍の顔の目から上顎にかけての部分を模した形状を有する可動体６１には、その上端にヒンジ部６１ａ，６１ａが後方に向かって突出形成されている。このヒンジ部６１ａ，６１ａは、可動体６１の背面に配される可動ベース部６４の同じく上端に形成されたヒンジ用ピン６４ａ，６４ａに回動自在に係止されるようになっている。したがって、可動体６１は、ヒンジ部６１ａ，６１ａを介して可動ベース部６４に取り付けられており、図１４および図１５に示されるように、可動ベース部６４に対して平行な第１姿勢Ｓ１と可動ベース部６４に対して下側が開くように傾斜した第２姿勢Ｓ２との間で変位可能に構成されている。
【００４２】
この場合、可動体６１の上端に設けられたバネ係止片６１ｂと、同じく可動ベース部６４の上端に設けられたバネ係止片６４ｂとの間は、コイルバネ（付勢部材）６７の両端部によって連結されている。したがって、図１１〜図１４に示されるような可動体６１に外力が加わらない状態では、可動体６１はコイルバネ６７の引っ張り力によって可動ベース部６４に対して平行な第１姿勢Ｓ１に保持されている。
【００４３】
このような可動ベース部６４（可動体６１）は、ベース部材６５、スライド部材６６、モータ８１などによって、上下に往復移動（昇降移動）可能になっている。ベース部材６５は横長の略長方形状を有しており、センターベース４１の上方にネジ止め等によって取り付けられるようになっている。このベース部材６５には、駆動機構として、モータ８１やモータ８１の駆動によって回転動される複数のギヤなどが取り付けられている。
【００４４】
図６（ａ），（ｂ）、図７および図８に示されるようにモータ８１は、ベース部材６５の前面の右上部にネジ止めによって取り付けられて、その駆動軸８１ａがベース部材６５の背面側に突出するように配されている。図８に示されるように、モータ８１の駆動軸８１ａには、駆動ギヤ８２ａが一体回転可能に固定されている。また、ベース部材６５に背面には、駆動ギヤ８２ａに噛み合う伝達ギヤ８２ｂ、伝達ギヤ８２ｂに噛み合う連結ギヤ８２ｃが回転自在に設けられている。
【００４５】
図７および図８に示されるように、モータ８１の左下には、連結ギヤ８３ａと、連結ギヤ８３ａに噛み合う伝達ギヤ８３ｂと、伝達ギヤ８３ｂに噛み合うピニオン８３ｃが回転自在に設けられたギヤボックス８３が取り付けられるようになっている。この場合、図８に示されるように、ベース部材６５に背面側に配される連結ギヤ８２ｃとベース部材６５の前面側に配される連結ギヤ８３ａは、連結ピン８２ｄによって一体回転可能に連結されている。したがって、モータ８１の駆動軸８１ａの回転動によって、駆動ギヤ８２ａ、伝達ギヤ８２ｂ、連結ギヤ８２ｃ、連結ギヤ８３ａおよび伝達ギヤ８３ｂを介してピニオン８３ｃが回転駆動されるようになっている。
【００４６】
図６（ａ）および図７に示されるように、ベース部材６５の前面側の中央には、縦長の略長方形状を有するスライド部材６６が上下にスライド（移動）可能に取り付けられるようになっている。
【００４７】
図７および図８に示されるように、このスライド部材６６の右側面には、上下方向に複数の歯部が並設された配されたラック部６６ａが形成されており、上述したピニオン８３ｃがこのラック部６６ａに噛み合うように構成されている。したがって、モータ８１が駆動することで、スライド部材６６はピニオン８３ｃを介してベース部材６５に対して上下に移動することが可能になっている。
【００４８】
図７および図８に示されるように、スライド部材６６の前面側の左半分には、上下方向に沿うように、ピニオン６６ｂ、ピニオン６６ｂに噛み合う伝達ギヤ６６ｃ、伝達ギヤ６６ｃに噛み合うピニオン６６ｄが回転自在に取り付けられている。一番上に配されるピニオン６６ｂは、ベース部材６５の前面の中央よりやや左側に設けられたラック部６５ａに噛み合うように配されており、ラック部６５ａに沿ってピニオン６６ｂが回転動することにより、伝達ギヤ６６ｃを介して一番下のピニオン６６ｄが回転動するように構成されている。
【００４９】
図８に示されるように、可動ベース部６４の背面には、上下方向に複数の歯部が並設された配されたラック部６４ｃが形成されており、上述したスライド部材６６に設けられたピニオン６６ｄがこのラック部６４ｃに噛み合うように構成されている。
【００５０】
したがって、モータ８１が駆動することにより、可動ベース部６４（可動体６１）は、図１１〜図１５に示されるように、スライド部材６６を介してベース部材６５に対して上下方向に往復移動可能になっている。尚、このようなモータ８１としては、ステッピングモータが用いられており、駆動ギヤ８２ａを正転方向に所定角度回転させたり、その正転方向とは反対の反転方向に所定角度回転させたりすることが可能になっている。これにより可動ベース部６４（可動体６１）を所定のストロークで上下方向に往復移動させることができるようになっている。このモータ８１は、遊技機１が備える制御回路等と図示しないケーブルを介して電気的に接続されており、制御回路等によってモータ８１の回転駆動が制御可能となっている。
【００５１】
図６（ａ）および図８に示されるように、スライド部材６６の背面には、後方に向かって突出した位置検出用突起部６６ｅが形成されている。この位置検出用突起部６６ｅは、図６（ａ），（ｂ）、図７および図８に示されるように、ベース部材６５の前面の中央に上下に延びるように開口された溝部６５ｂに挿入可能になっている。この場合、溝部６５ｂの上端には、背面に取り付けられた初期位置検出センサ９２の対向検出部９２ａ，９２ａが溝部６５ｂを幅方向で挟むように配置されており、この対向検出部９２ａ，９２ａの間に位置検出用突起部６６ｅが受容可能になっている。
【００５２】
初期位置検出センサ９２の対向検出部９２ａ、９２ａの内部には、図示しない位置検出素子が内蔵されている。これら一対の位置検出素子は、相互間で信号（例えば赤外線）を送受信することが可能になっている。このような対向検出部９２ａ，９２ａによる信号の送受信は、上述した位置検出用突起部６６ｅによって遮ることが可能になっている。
【００５３】
このようなスライド部材６６の位置検出用突起部６６ｅが、対向検出部９２ａ，９２ａの間に配置されることにより、対向検出部９２ａ，９２ａによる信号の送受信が不能となるので、この状態を初期位置（原点または基準位置）として、モータ８１を所定角度回転させることで、スライド部材６６を上下方向に所定距離で往復移動させることが可能になっている。これにより、可動ベース部６４（可動体６１）を、再現性良く上下方向に所定距離（第１位置Ｐ１と第２位置Ｐ２の間の距離）で往復移動させることが可能になっている。
【００５４】
図６（ｂ）および図７に示されるように、ベース部材６５の前面には、そのモータ８１の左側（ギヤボックス８３の上側）の箇所に、付勢バネ６８の円筒状の一端６８ａを回転自在に位置決め固定する固定部６５ｃが前方に向かって突出形成されている。この付勢バネ６８は、ゼンマイ状の定荷重バネと呼ばれるもので、通常のコイルバネとは違って、バネのストロークを長くしても引っ張り荷重がほぼ変わらない特性を有するバネである。この付勢バネ６８は、上述した駆動機構によって第１の可動装置６０（可動体６１、可動ベース部６４、追動体６２など）を上方へ移動させる際の上昇力（駆動力）を補助するためのものである。
【００５５】
この場合、付勢バネ６８の他端（下端）６８ｂには、図６（ａ）、図８および図１１に示されるように、縦長の略長方形状を有する取付板６８ｃが、その上端に設けられた固定ピン６８ｄを介して取付固定されている。この取付板６８ｃの中央には、縦長の長円形状を有するスライド孔６８ｅが開口形成されている。また、図示されるように、可動ベース部６４の背面の所定の位置には、取付板６８ｃのスライド孔６８ｅの上下の長さよりも短い間隔で上下に配された一対の係止ピン６４ｅ，６４ｅを有した係止部材６４ｄが取付固定されている。
【００５６】
この取付板６８ｃの背面の所定の位置には、後方に突出した凸部６８ｆが形成されている。これに対応して、図６（ｂ）、図７および図１１に示されるように、ベース部材６５、この場合、ギアボックス８３の前面の所定の位置には前方に向かって突出した接触部８３ｄが形成されている。この接触部８３ｄは、図１１に示されるように、可動ベース部６４（可動体６１）が第１位置Ｐ１にある場合に、付勢バネ６８の他端６８ｂに固定された取付板６８ｃの凸部６８ｆに上側から接触して、その付勢バネ６８のストロークを自然長よりも長い状態に保持するためのものである。
【００５７】
図５、図７、図８、図１４および図１５に示されるように、可動体６１の上端の中央には、前方に向かって突出したストッパ６１ｃが形成されている。このストッパ６１ｃは、後述する追動体６２に設けられた当接部６２ａが上方から当接することが可能であると共に（図１４および図１５参照）、追動体６２に設けられた連結部６２ｂに下方から当接することが可能に構成されている（図１１〜図１３参照）。
【００５８】
図７および図８に示されるように、羽根を模した形状を有する一対の変位部材６３，６３は左右対称の形状を有している。図示されるように、変位部材６３，６３は、その内側の下端に設けられたピン６３ａ，６３ａが、可動ベース部６４の背面の左右両側の所定に位置に設けられたピン係止孔６４ｆ，６４ｆにそれぞれ回動自在に取り付けられるようになっている。また、変位部材６３，６３は、その外側の上端から更に外側に延びるように設けられたアーム部６３ｂ，６３ｂの先端の円筒状の取付部６３ｃ，６３ｃが、ベース部材６５の左右両側から下方に向かって延設された垂下部６５ｄ，６５ｄに設けられたピン６５ｅ，６５ｅにそれぞれ回動自在に取り付けられるようになっている。したがって、変位部材６３，６３は、可動ベース部６４（可動体６１）の上下の移動に伴って、開いたり閉じたりするように変位可能に構成されている。
【００５９】
次に、龍の顔のおでこから頭頂にかけての部分を模した形状を有する追動体６２について説明する。この追動体６２は、上述した可動ベース部６４（可動体６１）を上下に移動させる駆動機構によって直接的に移動するのではなく、可動体６１に載せられた状態でその可動体６１と共に上下に移動（追動）する構成になっている。
【００６０】
図９および図１０に示されるように、追動体６２は、フレーム部材６９に上下に移動可能に取り付けられている。フレーム部材６９は、縦長の長方形状を有するガイド部６９ａと、このガイド部６９ａの上方の右側から右方向に延設されると共に更に後方に延設された取付アーム部６９ｂを備えており、取付アーム部６９ｂの先端が、センターベース４１の右上方にネジ止め等によって取付固定されるようになっている。この場合、図１１に示されるように、追動体６２は、可動体６１に接触しないように、フレーム部材６９によってその可動体６１の前面側に配置されるようになっている。
【００６１】
図１０および図１１に示されるように、フレーム部材６９のガイド部６９ａには、縦長の長円形状を有するスライド孔６９ｃが開口形成されている。また、図示されるように、追動体６２の背面の所定の位置には、ガイド部６９ａのスライド孔６９ｃの上下の長さよりも短い間隔で上下に配された一対の係止ピン６２ｄ，６２ｄを有した係止部材６２ｃが取付固定されている。この係止部材６２ｃの下端には当接部６２ａが後方に向かって突出するように形成され、上端には連結部６２ｂが後方に向かって突出するように形成されている。この場合、図１１〜図１５に示されるように、係止部材６２ｃの当接部６２ａと連結部６２ｂとの間のスペースに、可動体６１のストッパ６１ｃが配されるように構成されている。
【００６２】
図１１に示されるような可動体６１が第１位置Ｐ１（始端位置）に、追動体６２が第５位置Ｐ５（追動始端位置）にある場合には、追動体６２の連結部６２ｂが可動体６１のストッパ６１ｃの上側に載った状態に保持されている。そして、図１２に示されるように、可動体６１がこの第１位置Ｐ１から下方に移動しても、追動体６２の連結部６２ｂが可動体６１のストッパ６１ｃの上側に載った状態に保持されているので、追動体６２はその自重によって可動体６１の下方への移動に追従するように下方へと移動することが可能になっている。また、更に可動体６１が下方へ移動すると、図１３に示されるように、追動体６２の係止部材６２ｃの下側の係止ピン６２ｄが、ガイド部６９ａのスライド孔６９ｃの下端に当接することで、この追動終端位置（第６位置Ｐ６）から追動体６２の更に下方への移動が規制されるようになっている。
【００６３】
次に、図１１〜図１５を用いて、上述した可動演出装置５０の動作の手順について説明する。図１１は、可動体６１および追動体６２が最上点位置である第１位置Ｐ１（始端位置）および第５位置Ｐ５（追動始端位置）にある状態と、移動体７１が最下点位置である第３位置Ｐ３（始端位置）にある状態を示している。
【００６４】
このとき、付勢バネ６８の他端６８ｂ（取付板６８ｃ）の凸部６８ｆは、ギヤボックス８３の接触部８３ｄに下側から接触して、付勢バネ６８のストロークが自然長よりも長い状態に保持されている。また、このとき、取付板６８ｃのスライド孔６８ｅの内部において、可動ベース部６４の背面に固定された係止部材６４ｄの係止ピン６４ｅ，６４ｅが、そのスライド孔６８ｅの上端および下端のいずれにも当接しないように遊挿された状態になっている。つまり、可動ベース部６４には、付勢バネ６８による上方への引っ張り力（付勢力）が作用していない状態となっている。
【００６５】
つまり、このような可動ベース部６４（可動体６１）が第１位置Ｐ１と係止位置ＰＫの間の範囲にある場合において、可動ベース部６４に固定された係止部材６４ｄに付勢バネ６８の他端６８ｂ（取付板６８ｃ）が係止されないことによりその付勢バネ６８による付勢力が可動ベース部６４に作用しない状態になっている。すなわち、可動ベース部６４（可動体６１）が第１位置Ｐ１にある場合において、係止部材６４ｄの係止ピン６４ｅ，６４ｅが、スライド孔６８ｅの上端および下端のいずれにも当接しない範囲（可動ベース部６４（可動体６１）が第１位置Ｐ１と係止位置ＰＫとの間に位置する範囲）で、可動ベース部６４（可動体６１、追動体６２、変位部材６３を含む）を所定ストローク移動させる演出を行うことができるようになっている。
【００６６】
したがって、付勢バネ６８による付勢力が可動ベース部６４（可動体６１、追動体６２  変位部材６３を含む）に作用しない範囲で、可動ベース部６４を上述した第１の駆動機構により往復移動させることで、付勢バネによる付勢力が常時作用している場合と比べて、第１の可動装置６０の耐久性を向上させつつ、第１の可動装置６０による様々な演出効果を奏することができ遊技性を高めることが可能である。また、このような可動ベース部６４（可動体６１）が第１位置Ｐ１にある場合において、第１の可動装置６０（可動体６１、追動体６２、変位部材６３、可動ベース部６４）はベース部材６５と遊技盤５との間に形成される収納部（収納空間）に収納される。詳細には、可動体６１、変位部材６３、可動ベース部６４はベース部材６５とフレーム部材６９との間に形成される第１収納部に収納され、追動体６２はフレーム部材６９と遊技盤５との間に形成される第２収納部に収納される。この場合、収納部（第１収納部）の領域は、可動体６１が第１姿勢Ｓ１であるときに収納可能であるが、第２姿勢Ｓ２であるときには収納不能となるように形成されている。このような大きさ（スペース）となるように収納部（第１収納部）の領域を形成することで、遊技機という限られた空間を有効利用でき、可動体６１の変位方向に対して厚みを持たせた立体的な形状を第１の可動装置６０で構成することが可能となる。
【００６７】
尚、付勢バネ６８による付勢力が可動ベース部６４（可動体６１、追動体６２  変位部材６３を含む）に作用しない範囲でその可動ベース部５４を往復移動させる距離が、第１の駆動機構が備えるピニオン６６ｄなどのギヤの歯部とラック部６４ｃなどのラックの歯部とのバックラッシ（互いに嵌り合って運動する機械要素の間に、運動方向に設けた隙間）の範囲内である構成にすると良い。このような構成によれば、ギヤやラックの歯部の摩耗（消耗）を低減しつつ、第１の可動装置６０を例えばガタガタと上下に移動（揺動）させることができる。
【００６８】
図１２は、図１１の状態から可動ベース部６４（可動体６１）が更に下方に移動することにより、可動ベース部６４に設けられた係止部材６４ｄの下側の係止ピン６４ｅが、付勢バネ６８の下端に取り付けられた取付板６８ｃのスライド孔６８ｅの下端に当接した係止位置ＰＫにある状態の第１の可動装置６０を示している。そして、この係止位置ＰＫから更に可動ベース部６４が下方に移動することで、付勢バネ６８による上方への引っ張り力（付勢力）が可動ベース部６４（可動体６１、追動体６２  変位部材６３を含む）に作用することになる。
【００６９】
図１３は、図１２の状態から可動ベース部６４（可動体６１）が更に下方に移動することにより、追動体６２に設けられた係止部材６２ｃの下側の係止ピン６２ｄが、フレーム部材６９のガイド部６９ａのスライド孔６９ｃの下端に当接した第６位置Ｐ６（追動終端位置）にある状態の追動体６２を示している。そして、この追動体６２が第６位置Ｐ６にある状態（すなわち追動体６２が下方への移動が規制された状態）から可動ベース部６４（可動体６１）が更に下方に移動することにより、可動体６１は、停止された状態の追動体６２に対して更に下方へと離間するように移動することになる。つまり、追動体６２は、その連結部６２ｂを介して可動体６１に載った状態から、フレーム部材６９のガイド部６９ａのスライド孔６９ｃの下端に載った状態へと移載されることになる。
【００７０】
図１４は、図１３の状態から可動ベース部６４（可動体６１）が更に下方に移動して、第２位置Ｐ２（終端位置）よりもやや手前の直前位置（当接位置ＰＴ）に位置することにより、可動体６１のストッパ６１ｃが、下方への移動が規制された状態（停止状態）、つまり第６位置Ｐ６（追動終端位置）に位置する追動体６２の当接部６２ａに上方から当接した状態を示している。
【００７１】
図１５は、図１４の状態から可動ベース部６４（可動体６１）だけが更に所定の距離で下方に移動することで、ストッパ６１ｃと連結部６２ｂが離れ、その後ストッパ６１ｃが当接部６２ａに当接すると共に、可動ベース部６４（可動体６１）が第２位置Ｐ２（終端位置）に到達している状態を示している。このとき、可動体６１は、そのストッパ６１ｃが停止状態の追動体６２の当接部６２ａに当接（連結）された状態で、追動体６２に対して下方向（追動体６２に対して離間する方向：移動体７１側）に移動することにより、ストッパ６１ｃと当接部６２ａの引き合い力が作用することによって、可動体６１は、上端のヒンジ部６１ａを介して、可動ベース部６４に対して平行な第１姿勢Ｓ１から、可動ベース部６４に対して下側が開くように傾斜した第２姿勢Ｓ２へと変位される。
【００７２】
このとき、図示されるように、移動体７１が可動体６１に接近するように下方から上方に向かって第４位置Ｐ４に到達するように移動してきているが、可動体６１が第１姿勢Ｓ１から第２姿勢Ｓ２へと変位されているので、可動体６１と移動体７１との干渉が避けられるようになっている。具体的には、可動体６１の下端部（上顎または上牙に相当する部分）が、移動体７１の上端部（下顎または下牙に相当する部分）に対して遊技機１（遊技盤５）の前後方向において重なるように配置されて、互いに干渉しないようにされており、遊技者側（遊技機１の前面側）から見て一見、可動体６１の下端部と移動体７１の上端部が当接（互いに干渉）したかのような演出を実現していると共に、可動体６１と移動体７１の移動領域を大きく設定することが可能となる（図１５および図１７参照）。
【００７３】
このように、可動体６１が移動体７１との干渉を避けるように変位することで、このような二つの可動部材が接近するように同時に移動された場合でも、互いに干渉することが防止されており、このような２つの可動体６１および移動体７１の同時移動（同時駆動）によって従来にない演出を行うことが可能となっている。
【００７４】
上述した可動演出装置５０によれば、可動体６１が第１姿勢Ｓ１から第２姿勢Ｓ２へと変位することによりその可動体６１に接近するように移動してきた移動体７１と可動体６１との干渉が避けるように構成されているので、可動体６１と移動体７１を同時に移動させた場合でも互いに干渉してしまうことが抑制されている。したがって、可動体６１と移動体７１の同時移動（同時駆動）が可能となり、更に可動体６１と移動体７１の移動（駆動）を表示部１７ａの前面側で行うことで表示部１７ａによる表示演出と可動体６１および移動体７１による駆動演出を併せて行うことが可能になり、その演出効果を向上させることができる。
【００７５】
この場合、可動体６１が第２位置Ｐ２（終端位置）に配置されている状態で第２姿勢Ｓ２に変位することで、可動体６１の少なくとも一部、この場合、可動体６１の下端部（上顎または上牙に相当する部分）が、移動体７１の少なくとも一部、この場合、移動体７１の上端部（下顎または下牙に相当する部分）に対して遊技機１（遊技盤５）の前後方向において重なるように配置されている構成にすると良い。このような構成によれば、可動体６１と移動体７１の互いの干渉を避けつつ、可動体６１の少なくとも一部が、移動体７１の少なくとも一部に対して遊技機１（遊技盤５）の前後方向において重なるように配置させているので、遊技者側（遊技機１の前面側）から見て一見、可動体６１の下端部と移動体７１の上端部が当接（互いに干渉・摺動）したかのような演出を行うことができ、更にその演出効果を向上させることができる。
【００７６】
また、可動体６１が第１姿勢Ｓ１である場合に、可動体６１と移動体７１はそれぞれの移動範囲内においてそれぞれの少なくとも一部どうしが互いに当接するように配置されている構成、具体的には、第１姿勢Ｓ１の状態の可動体６１の下端部（上顎または上牙に相当する部分）と、これに接近してきた移動体７１の上端部（下顎または下牙に相当する部分）とが互いに当接（干渉）するように配置されている構成にすると良い。このような構成によれば、図１４に示されるように、第１姿勢Ｓ１の可動体６１に移動体７１が接近すると当接（互いに干渉）するように見える演出をしつつ、当接（互いに干渉）の直前で、図１５に示されるように、可動体６１が移動体７１と当接（干渉）しない第２姿勢Ｓ２へと変位させるような演出を行うことができ、更にその演出効果を向上させることができる。
【００７７】
また、可動ベース部６４と可動体６１は、ヒンジ部６１ａ、ヒンジ用ピン６４ａとは別に、その可動体６１を第２姿勢Ｓ２から第１姿勢Ｓ１に変位させるように付勢する付勢部材（コイルバネ）６７によって連結されているので、可動体６１に外力が加わらない状態ではその付勢部材（コイルバネ）６７によって可動体６１は第１姿勢Ｓ１に保持されて可動体６１が第１姿勢から第２姿勢へと不用意に変位してしまうことが防止されている。これにより、可動体６１をその可動体６１への当接部６２ａによる当接によってのみ第１姿勢Ｓ１から第２姿勢Ｓ２へと変位させることができる。
【００７８】
更に、可動体６１と当接部６２ａは少なくとも一部が互いに重なり合う（当接する）ように配置されると共に、可動体６１には、当接部６２ａと当接するストッパ６１ｃが設けられ、ストッパ６１ｃは、可動体６１から当接部６２ａ側に向けて突出形成されている構成になっているので、可動体６１から当接部６２ａ側に向けて突出形成されたストッパ６１ｃに当接部６２ａを当接させるという簡易な構造（機構）で、可動体６１を第１姿勢Ｓ１から第２姿勢Ｓ２へと簡便に変位させるができる。
【００７９】
そして、第１の可動装置６０は、可動体６１と異なる位置の追動始端位置（第５位置Ｐ５）と追動終端位置（第６位置Ｐ６）との間で可動体６１に追動可能な追動体６２を備えると共に、当接部６２ａはその追動体６２に設けられ、追動体６２が追動終端位置（第６位置Ｐ６）に配置される際にストッパ６１ｃと当接部６２ａを介して可動体６１と追動体６２が当接される構成にすると良い。このような構成によれば、更に可動体６１に追動可能な追動体６２を備えているので、その演出効果を高めることができると共に、この追動体６２に可動体６１を第１姿勢Ｓ１から第２姿勢Ｓ２へと当接によって変位させる当接部６２ａが設けられているので、簡易な構造（機構）で、可動体６１を第１姿勢Ｓ１から第２姿勢Ｓ２へと変位させるが可能である。
【００８０】
更に、上述した可動演出装置５０によれば、可動ベース部６４が始端位置（第１位置Ｐ１）に配置されている場合には、第１の駆動機構により可動ベース部６４を移動させた後に、第２の駆動機構により移動体７１を移動させる一方、可動ベース部６４が終端位置（第２位置Ｐ２）に配置されている場合には、第２の駆動機構により移動体７１を移動させた後に、第１の駆動機構によって可動ベース部６４を移動させるようにした構成など種々なる移動態様を実現することができ、その演出効果を向上させることが可能である。また、このような順序で可動ベース部６４および移動体７１を移動させることで、移動体７１が移動する際には常に可動体６１は第２姿勢をとっていることで、可動体６１と移動体７１が互いに干渉する危険性を抑制することが可能となる。
【００８１】
以上本発明に係る遊技機の実施の形態について説明したが、上述した実施の形態に何ら限定されるものではなく、本発明の趣旨を逸脱しない範囲で種々の改変が可能である。例えば、上述した可動演出装置５０は、表示部１７ａの上下に配設された構成を示したが、そのような構成に限るものではなく、遊技機１の枠等の配設可能な位置であれば、どこでも良く、上述した実施の形態には限定されない。また、本発明に係る遊技機の実施の形態において、干渉とはある駆動物が他の駆動物や遊技盤等にぶつかることによってその駆動物の適正な動作が妨げられる状態を指し、適正な動作が妨げられない程度の軽微な接触は含まれない。
【００８２】
更に、可動ベース部６４が始端位置（第１位置Ｐ１）に配置されている場合には、第１の駆動機構により可動ベース部６４を移動させた後に、第２の駆動機構により移動体７１を移動させる一方、可動ベース部６４が終端位置（第２位置Ｐ２）に配置されている場合には、第２の駆動機構により移動体７１を移動させた後に、第１の駆動機構によって可動ベース部６４を移動させるようにした構成に限らず、可動ベース部６４および移動体７１が同時に駆動する構成でも良く、可動ベース部６４と移動体７１を駆動する順序は逆の構成でも良い。
【符号の説明】
【００８３】
１：遊技機    ５：遊技盤    ６：遊技領域    １７：表示装置
１７ａ：表示部    ３０：センター役物    ４０：前面側装飾部材
４１：センターベース    ５０：可動演出装置    ６０：第１の可動装置
６１：可動体    ６１ａ：ヒンジ部    ６１ｂ：バネ係止片
６１ｃ：ストッパ    ６２：移動体    ６２ａ：当接部
６２ｂ：連結部    ６２ｃ：係止部材    ６２ｄ：係止ピン
６３：変位部材    ６４：可動ベース部    ６４ａ：ヒンジ用ピン
６４ｂ：バネ係止片    ６４ｃ：ラック部    ６４ｄ：係止部材
６４ｅ：係止ピン    ６４ｆ：ピン係止孔    ６５：ベース部材
６５ｃ：固定部    ６６：スライド部材    ６７：コイルバネ
６８：付勢バネ    ６８ａ：一端    ６８ｂ：他端    ６８ｃ：取付板
６８ｄ：固定ピン    ６８ｅ：スライド孔    ６８ｆ：凸部
６９：フレーム部材    ６９ａ：ガイド部    ６９ｃ：スライド孔
７０：第２の可動装置    ７１：移動体    ７２：モータ    ８１：モータ
８３：ギヤボックス    ８３ｄ：接触部
Ｐ１：第１位置（可動体の始端位置）    Ｐ２：第２位置（可動体の終端位置）
Ｐ３  第３位置（移動体の始端位置）    Ｐ４：第４位置（移動体の終端位置）
Ｐ５：第５位置（追動体の追動始端位置）
Ｐ６：第６位置（追動体の追動始端位置）    ＰＫ：係止位置
ＰＴ：当接位置    Ｓ１：第１姿勢    Ｓ２：第２姿勢
【図１】
2012095902.tif 000003
【図２】
2012095902.tif 000004
【図３】
2012095902.tif 000005
【図４】
2012095902.tif 000006
【図５】
2012095902.tif 000007
【図６】
2012095902.tif 000008
【図７】
2012095902.tif 000009
【図８】
2012095902.tif 000010
【図９】
2012095902.tif 000011
【図１０】
2012095902.tif 000012
【図１１】
2012095902.tif 000013
【図１２】
2012095902.tif 000014
【図１３】
2012095902.tif 000015
【図１４】
2012095902.tif 000016
【図１５】
2012095902.tif 000017
【図１６】
2012095902.tif 000018
【図１７】
2012095902.tif 000019